(57)【要約】【課題】フレキシブル基板の端子電極のピッチ幅を狭くすることなく、フレキシブル基板の端子電極とその端子電極よりも電極のピッチ幅が狭いコネクタとの接続ができる信頼性の高いフレキシブル基板とコネクタの接続構造を提供する。【解決手段】４つの端子電極５０を有するフレキシブル基板の一部であるフレキシブルケーブル３１aと、フレキシブルケーブル３１aの４つの端子電極５０を覆うように設けられたカーボンコート５１と、フレキシブルケーブル３１aの４つの端子電極５０が接続され、８つの電極６０を有するコネクタ４０とを備える。上記フレキシブルケーブル３１aの４つの端子電極５０の各々に対して、コネクタ４０の２つの電極６０を電気的に接続する。【選択図】図５
2014036008.tif 000002
【特許請求の範囲】
【請求項１】
複数の端子電極を有するフレキシブル基板と、
上記フレキシブル基板の上記複数の端子電極を覆うように設けられた疎水性かつ導電性の被膜と、
上記フレキシブル基板の上記複数の端子電極が電気的に接続されるコネクタと
を備え、
上記フレキシブル基板の上記複数の端子電極の各々に対して、上記コネクタの複数の電極が電気的に接続されることを特徴とするフレキシブル基板とコネクタの接続構造。
【請求項２】
請求項１に記載のフレキシブル基板とコネクタの接続構造において、
上記被膜は、カーボンコートであることを特徴とするフレキシブル基板とコネクタの接続構造。
【請求項３】
請求項１または２に記載のフレキシブル基板とコネクタの接続構造を内部配線に用いたことを特徴とする蒸気調理器。
【発明の詳細な説明】
【技術分野】
【０００１】
この発明は、フレキシブル基板とコネクタの接続構造および蒸気調理器に関する。
【背景技術】
【０００２】
従来、フレキシブル基板とコネクタの接続構造としては、フレキシブル基板と表示パネル基板との貼り合わせによって、表示パネル基板の接続端子の電極とフレキシブル基板の端子電極とを電気的に接続したものがある(例えば、特開２０１２−０８３７６９号公報(特許文献１)参照)。
【先行技術文献】
【特許文献】
【０００３】
【特許文献１】特開２０１２−０８３７６９号公報
【発明の概要】
【発明が解決しようとする課題】
【０００４】
ところで、上記従来のフレキシブル基板とコネクタの接続構造を、水蒸気を用いた加熱調理を行う加熱調理器に用いる場合は、フレキシブル基板の端子電極に、電極金属の腐食を防ぐためにカーボンコートを施して防水対策している。
【０００５】
このようなフレキシブル基板の端子電極へのカーボンコートは、微細な処理に限界があるため、フレキシブル基板の電極のピッチ幅は１ｍｍ以上に制限される。ところが、近年のコネクタは、携帯電話等に使用することが多くなり、ピッチ幅が０.５ｍｍ以下の部品が主流となっているため、このような汎用のコネクタの電極のピッチ幅に対応してフレキシブル基板の端子電極のピッチ幅を狭くすることができず、コネクタとフレキシブル基板とを接続できないという問題がある。
【０００６】
そこで、この発明の課題は、フレキシブル基板の端子電極のピッチ幅を狭くすることなく、フレキシブル基板の端子電極とその端子電極よりも電極のピッチ幅が狭いコネクタとの接続ができる信頼性の高いフレキシブル基板とコネクタの接続構造およびそれを用いた蒸気調理器を提供することにある。
【課題を解決するための手段】
【０００７】
上記課題を解決するため、この発明のフレキシブル基板とコネクタの接続構造は、
複数の端子電極を有するフレキシブル基板と、
上記フレキシブル基板の上記複数の端子電極を覆うように設けられた疎水性かつ導電性の被膜と、
上記フレキシブル基板の上記複数の端子電極が電気的に接続されるコネクタと
を備え、
上記フレキシブル基板の上記複数の端子電極の各々に対して、上記コネクタの複数の電極が電気的に接続されることを特徴とする。
【０００８】
上記構成によれば、フレキシブル基板の複数の端子電極の各々に対して、コネクタの複数の電極を電気的に接続することによって、フレキシブル基板の端子電極のピッチ幅を狭くすることなく、フレキシブル基板の端子電極とその端子電極よりも電極のピッチ幅が狭いコネクタとの接続ができる。また、上記フレキシブル基板の１つの端子電極にコネクタの複数の電極が電気的に接続されるので、接触不良を起こす異物などが電極表面に付着しても、例えば、フレキシブル基板の１つの端子電極に接続されるコネクタの複数の電極のうちの少なくとも１つが、異物などによる接触不良を起こさずに正常に接触することで電気的接続が保たれるので、信頼性の高い接続が得られる。ここで、フレキシブル基板の１つの端子電極に接続されるコネクタの複数の電極は同一信号を扱うことになる。また、フレキシブル基板の複数の端子電極を覆うように疎水性かつ導電性の被膜を設けることによって、フレキシブル基板の端子電極の防水対策ができ、水蒸気を用いた加熱調理を行う加熱調理器に適したフレキシブル基板とコネクタの接続構造を提供できる。
【０００９】
また、一実施形態のフレキシブル基板とコネクタの接続構造は、
上記被膜は、カーボンコートである。
【００１０】
上記実施形態によれば、フレキシブル基板の複数の端子電極を覆う被膜にカーボンコートを用いることによって、コネクタの電極との導通を良好に保ちつつ、カーボンコートの疎水性を利用して水を効果的に弾くことができる。
【００１１】
また、この発明の蒸気調理器は、
上記のフレキシブル基板とコネクタの接続構造を内部配線に用いたことを特徴とする。
【００１２】
上記構成によれば、内部配線の接続部分が水蒸気に曝される可能性のある蒸気調理器において、その内部配線に上記フレキシブル基板とコネクタの接続構造を用いることによって、信頼性の高い接続ができ、蒸気調理器の信頼性を向上できる。
【発明の効果】
【００１３】
以上より明らかなように、この発明によれば、フレキシブル基板の端子電極のピッチ幅を狭くすることなく、フレキシブル基板の端子電極とその端子電極よりも電極のピッチ幅が狭いコネクタとの接続ができる信頼性の高いフレキシブル基板とコネクタの接続構造、および、そのフレキシブル基板とコネクタの接続構造を内部配線に用いた蒸気調理器を実現することができる。
【図面の簡単な説明】
【００１４】
【図１】図１はこの発明の実施の一形態のフレキシブル基板とコネクタの接続構造を用いた加熱調理器の正面斜視図である。
【図２】図２は上記加熱調理器の操作パネルの正面図である。
【図３】図３は上記加熱調理器の操作パネルの側面図である。
【図４】図４は上記加熱調理器の操作パネルの裏面図である。
【図５】図５はフレキシブルケーブルとコネクタの要部の断面図である。
【発明を実施するための形態】
【００１５】
以下、この発明のフレキシブル基板とコネクタの接続構造を図示の実施の形態により詳細に説明する。
【００１６】
図１はこの発明の実施の一形態のフレキシブル基板とコネクタの接続構造を用いた蒸気調理器の一例としての加熱調理器の正面斜視図を示している。
【００１７】
上記加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００１８】
上記加熱調理器は、加熱室(図示せず)と、その加熱室内の食品を加熱するヒータ(図示せず)と、加熱室に供給する水蒸気を発生する蒸気発生装置(図示せず)とを備え、その蒸気発生装置からの水蒸気を加熱室に供給して、過熱水蒸気を用いたオーブン調理や水蒸気を用いた蒸し調理などを行う。このような加熱調理器では、加熱室などからの水蒸気がケーシング１内に漏れて、電装品などに水蒸気に曝される可能性がある。
【００１９】
図２は上記加熱調理器の操作パネル５の正面図を示している。図１と同一の構成部には同一参照番号を付している。
【００２０】
上記ボタン群７は、「戻る」キー１１、「とりけし」キー１２、「手動加熱」キー１３および「あたためスタート」キー１４で構成されている。「戻る」キー１１は、画面表示を直前の画面表示に戻すときに押す。また、「とりけし」キー１２は、途中で加熱をやめるときや、操作を取り消すときに押す。そして、「手動加熱」キー１３は、高周波出力および加熱出力を手動で設定するときに押す。また、「あたためスタート」キー１４は、加熱を開始するときに押す。
【００２１】
図３は上記加熱調理器の操作パネル５の側面図を示しており、図４は上記加熱調理器の操作パネル５の裏面図を示している。
【００２２】
図３,図４に示すように、操作パネル５は、パネル部材１５と、パネル部材１５に設けられた表示枠に対向するように配置された液晶表示パネル２０と、液晶表示パネル２０を保持する保持部材２１と、その保持部材２１に取り付けられた制御基板２２とを有する。
【００２３】
上記操作パネル５の「戻る」キー１１(図２に示す)と「手動加熱」キー１３(図２に示す)に対向するパネル部材１５の裏面側にタッチスイッチ部３０を取り付けている。このタッチスイッチ部３０は、静電容量方式や抵抗膜方式のタッチスイッチなどを用いているが、タッチスイッチの方式はどのようなものでもよい。
【００２４】
上記タッチスイッチ部３０は、フレキシブル基板３１を有し、そのフレキシブル基板３１から延びるフレキシブルケーブル３１aが、制御基板２２に実装されたコネクタ４０に下方から上方に向かって挿入されている。
【００２５】
図５はフレキシブルケーブル３１aとコネクタ４０の要部の断面図を示している。
【００２６】
図５に示すように、フレキシブルケーブル３１aに４つの端子電極５０を等間隔に設けている。このフレキシブルケーブル３１aの４つの端子電極５０を覆うように、疎水性かつ導電性の被膜の一例としてのカーボンコート５１を設けている。また、コネクタ４０の基部６１に８つの電極６０を等間隔に設けている。フレキシブルケーブル３１aの１つの端子電極５０に対して、コネクタ４０の２つの電極６０が電気的に接続される。
【００２７】
フレキシブルケーブル３１aの４つの端子電極５０は、ピッチ幅Ｐ１を１.０ｍｍとし、電極幅Ｗ１を０.５ｍｍとしている。また、コネクタ４０の８つの電極６０は、ピッチ幅Ｐ２を０.５ｍｍとし、電極幅Ｗ２を０.２ｍｍとしている。
【００２８】
上記構成のフレキシブル基板とコネクタの接続構造によれば、フレキシブル基板３１の一部であるフレキシブルケーブル３１aの１つの端子電極５０に対してコネクタ４０の２つの電極を電気的に接続することによって、フレキシブルケーブル３１aの端子電極５０のピッチ幅を狭くすることなく、フレキシブルケーブル３１aの端子電極５０とその端子電極５０よりのピッチ幅が狭いコネクタ４０との接続ができる。
【００２９】
また、フレキシブルケーブル３１aの１つの端子電極５０にコネクタ４０の２つの電極６０が電気的に接続されることによって、接触不良を起こす異物などが電極表面に付着しても、例えば、フレキシブルケーブル３１aの１つの端子電極５０に接続されるコネクタ４０の２つの電極６０のうちの少なくとも１つが、異物などによる接触不良を起こさずに正常に接触することで電気的接続が保たれるので、信頼性の高い接続が得られる。ここで、フレキシブル基板３１のフレキシブルケーブル３１aの１つの端子電極５０に接続されるコネクタ４０の２つの電極６０は同一信号を扱うことになる。
【００３０】
また、フレキシブルケーブル３１aの複数の端子電極５０を覆うようにカーボンコート５１を設けることによって、フレキシブルケーブル３１aの端子電極５０の防水対策ができ、水蒸気を用いた加熱調理を行う加熱調理器に適したフレキシブル基板とコネクタの接続構造を提供できる。
【００３１】
なお、フレキシブル基板３１のフレキシブルケーブル３１aの端子電極５０とコネクタ４０の電極６０とが接続された状態では、フレキシブルケーブル３１aの複数の端子電極５０に疎水性を有するカーボンコート５１が施されていることにより、接続部分に水が侵入してもフレキシブルケーブル３１aの複数の端子電極５０とコネクタ４０の電極６０との間の接触面に侵入しようとする水をカーボンコート５１により弾いて水の侵入を防ぐことができ、コネクタ４０の電極４０の接触面の腐食も防止することができる。
【００３２】
ここで、接続部分に侵入しようとする水がカーボンコート５１により弾かれ、弾かれた水は、フレキシブル基板３１の端子電極５０間および／またはフレキシブルケーブル３１aの端子電極５０間に導かれることになる。そして、フレキシブルケーブル３１aの同一の端子電極５０に接触するコネクタ４０の電極６０間とその端子電極５０により形成される第１の空間に水が侵入して、電極６０間が短絡しても、同一信号を扱うので不具合は生じない。一方、フレキシブルケーブル３１aの互いに隣接する端子電極５０間と、その隣接する端子電極５０に対向するコネクタ４０の電極６０とで形成される第２の空間は、上記第１の空間に比べて大きいので、水が侵入しても、隣接する端子電極５０間が短絡しにくい。
【００３３】
上記実施の形態では、フレキシブルケーブル３１aの４つの端子電極５０を覆うように、疎水性かつ導電性の被膜としてカーボンコート５１を設けたが、これに限らず、ＺnＯや導電性ポリマー(ＰＥＤＯＴ)などの疎水性かつ導電性の被膜を用いてもよい。
【００３４】
また、上記実施の形態では、フレキシブル基板３１の一部であるフレキシブルケーブル３１aの複数の端子電極５０のピッチ幅Ｐ１を１.０ｍｍ、電極幅Ｗ１を０.５ｍｍとし、コネクタ４０の複数の電極６０のピッチ幅Ｐ２を０.５ｍｍ、電極幅Ｗ２を０.２ｍｍとしたが、フレキシブル基板の複数の端子電極およびコネクタの複数の電極のピッチ幅と電極幅はこれに限らない。例えば、コネクタの複数の電極のピッチ幅を０.５ｍｍ、電極幅を０.２ｍｍとしたまま、フレキシブル基板の複数の端子電極のピッチ幅を１.０ｍｍ、電極幅を０.７ｍｍとし、端子電極間の隙間を０.３ｍｍとしてもよい。この場合、フレキシブル基板の１つの端子電極の接触面に、コネクタの２つの電極の全接触面が接触して、接触面積が大きくなるので、接触抵抗を低減できる。
【００３５】
また、この発明のフレキシブル基板の複数の端子電極およびコネクタの複数の電極は、等間隔に限らず、異なる間隔であってもよく、フレキシブル基板の複数の端子電極の各々に対して、コネクタの複数の電極のうちの２以上の電極が電気的に接続されるものであればよい。
【００３６】
また、上記実施の形態では、フレキシブルケーブル３１aの１つの端子電極５０に対して、コネクタ４０の２つの電極６０を電気的に接続したフレキシブル基板とコネクタの接続構造について説明したが、この発明は、フレキシブル基板の１つの端子電極に対して、コネクタの３以上の電極を電気的に接続したフレキシブル基板とコネクタの接続構造であってもよく、各端子電極に接続されるコネクタの電極数は２以上の異なる電極数であってもよい。
【００３７】
また、上記実施の形態では、フレキシブル基板とコネクタの接続構造を内部配線に用いた加熱調理器について説明したが、フレキシブル基板とコネクタの接続構造を有する他の装置にこの発明を適用してもよく、特に、水蒸気を用いた蒸気調理器にこの発明のフレキシブル基板とコネクタの接続構造を適用することにより、顕著な効果を奏する。
【００３８】
この発明の具体的な実施の形態について説明したが、この発明は上記実施の形態に限定されるものではなく、この発明の範囲内で種々変更して実施することができる。
【符号の説明】
【００３９】
１…ケーシング
２…扉
３…ハンドル
４…耐熱ガラス
５…操作パネル
６…カラー液晶表示部
７…ボタン群
１１…「戻る」キー
１２…「とりけし」キー
１３…「手動加熱」キー
１４…「あたためスタート」キー
２０…液晶表示パネル
２１…保持部材
２２…制御基板
１５…パネル部材
３０…タッチスイッチ部
３１…フレキシブル基板
３１a…フレキシブルケーブル
４０…コネクタ
５０…端子電極
５１…カーボンコート
６０…電極
６１…基部
【図１】
2014036008.tif 000003
【図２】
2014036008.tif 000004
【図３】
2014036008.tif 000005
【図４】
2014036008.tif 000006
【図５】
2014036008.tif 000007